(57)【特許請求の範囲】
【請求項１】
予め設定した電源オン時刻に自動的に電源をオンとする自動電源オン機能と、予め設定したアラーム発生時刻に自動電源オン機能を動作させて自動的に電源をオンとすると共にアラーム音を発するアラーム機能とを有する携帯電話機であって、
アラーム音を発するアラーム手段と、
キー入力手段と、
キー入力手段の操作によって入力された電源オン時刻及びアラーム発生時刻を記憶する動作時刻記憶手段と、
動作時刻記憶手段に記憶されている電源オン時刻及びアラーム発生時刻が到来したか否かを検知する動作時刻検知手段と、
キー入力手段の操作によって入力された自動電源オン機能設定の有効／無効を記憶する自動電源オン有効／無効設定記憶手段と、
電源がオフの状態で、自動電源オン有効／無効設定記憶手段に自動電源オン機能設定の有効が記憶されている場合には、電源オン時刻の到来が検知された時点で自動電源オン機能を動作させると共に、アラーム発生時刻の到来が検知された時点で自動電源オン機能及びアラーム手段を動作させる一方、自動電源オン有効／無効設定記憶手段に自動電源オン機能設定の無効が記憶されている場合には、電源オン時刻の到来に拘わらず自動電源オン機能を禁止すると共に、アラーム発生時刻の到来に拘わらず自動電源オン機能及びアラーム手段の動作を禁止する制御手段
とを具えていることを特徴とする携帯電話機。
【請求項２】
キー入力手段は、手動で電源をオフとする際に操作すべき電源キーと、所望の機能を設定する際に操作すべき機能キーとを具え、機能キーを操作することなく電源キーを操作することによって、自動電源オン機能設定の有効が入力され、機能キーを操作した直後に電源キーを操作することによって、自動電源オン機能設定の無効が入力される請求項１に記載の携帯電話機。
【請求項３】
更に、電源オフ状態にて自動電源オン機能設定の無効が入力されているとき、その旨を表示する表示手段を具えている請求項１又は請求項２に記載の携帯電話機。
【発明の詳細な説明】
【０００１】
【発明の属する技術分野】
本発明は、予め設定した動作時刻に電源をオンとする自動電源オン機能を有する携帯電話機に関するものである。
【０００２】
【従来の技術】
一般に携帯電話機においては、操作キーの１つとして、電源をオン／オフする際に操作すべき電源キーが配備されており、例えば電源キーを一定時間以上に亘って押下することにより、電源をオンからオフへ、若しくはオフからオンへ交互に切り換えることが可能となっており、更に、予め設定した動作時刻が到来すると自動的に電源をオフからオンに切り換える自動電源オン機能を有するものが普及している。
又、この様な携帯電話機においては、予め設定した動作時刻にアラームを鳴動させるアラーム機能を有するものが普及している。
【０００３】
上記の如き自動電源オン機能及びアラーム機能を有する携帯電話機においては、所望の１或いは複数のアラーム発生時刻を設定しておけば、その時刻が到来する度に自動電源オン機能が動作して、自動的に電源がオフからオンとなり、更にアラーム機能が動作して、アラームが鳴動するので、ユーザは、動作時刻の到来を音響で知ることが出来、便利である。
【０００４】
【発明が解決しようとする課題】
ところで、携帯電話機が持ち込まれる一部の環境、例えば航空機や公共交通機関等においては、安全性等の要請から、携帯電話機の電源をオフとすることが義務づけられている。
しかしながら、上述の自動電源オン機能やアラーム機能を有する携帯電話機においては、例えば航空機搭乗時に電源をオフにしたとしても、アラーム発生時刻が到来すると、自動的に電源がオンとなり、アラームが鳴動することになる。
【０００５】
この問題を回避するためには、自動電源オン機能やアラームの設定を解除する必要があるが、特に複数の時刻にアラームが設定されている場合には、それら全ての時刻についてアラームの設定を解除する操作を行なわねばならず、非常に面倒である。又、アラームの設定を一旦解除すると、再びアラーム設定の操作を行なわねばならず、極めて煩雑である。
そこで本発明の目的は、複数の時刻にアラームが設定されている場合であっても、簡易な操作で自動電源オン機能を解除することが出来ると共に、その後、簡易な操作で自動電源オン機能の設定を元の状態に戻すことが出来る携帯電話機を提供することである。
【０００６】
【課題を解決する為の手段】
本発明に係る携帯電話機は、アラーム音を発するアラーム手段と、キー入力手段と、キー入力手段の操作によって入力された電源オン時刻及びアラーム発生時刻を記憶する動作時刻記憶手段と、動作時刻記憶手段に記憶されている電源オン時刻及びアラーム発生時刻が到来したか否かを検知する動作時刻検知手段と、キー入力手段の操作によって入力された自動電源オン機能設定の有効／無効を記憶する自動電源オン有効／無効設定記憶手段と、電源がオフの状態で、自動電源オン有効／無効設定記憶手段に自動電源オン機能設定の有効が記憶されている場合には、電源オン時刻の到来が検知された時点で自動電源オン機能を動作させると共に、アラーム発生時刻の到来が検知された時点で自動電源オン機能及びアラーム手段を動作させる一方、自動電源オン有効／無効設定記憶手段に自動電源オン機能設定の無効が記憶されている場合には、電源オン時刻の到来に拘わらず自動電源オン機能を禁止すると共に、アラーム発生時刻の到来に拘わらず自動電源オン機能及びアラーム手段の動作を禁止する制御手段とを具えている。
【０００７】
上記本発明の携帯電話機においては、自動電源オン機能が設定されると共に所定の時刻にアラームが設定されている場合、例えば航空機搭乗時にはキー入力手段を操作して、自動電源オン機能設定の無効を入力しておく。これによって、所定の電源オン時刻が到来したとしても、自動電源オン機能は動作しない。又、所定のアラーム発生時刻が到来したとしても、自動電源オン機能は動作せず、アラームが鳴動することもない。
その後、航空機を降りる際にキー入力手段を操作して、自電源オン機能設定の有効を入力しておけば、自動電源オン機能が動作し、所定の電源オン時刻が到来した時点で自動的に電源がオンとなる。又、所定のアラーム発生時刻が到来した時点で自動的にオンとなり、同時にアラームが鳴動する。
【０００９】
更に具体的な構成において、キー入力手段は、手動で電源をオフとする際に操作すべき電源キーと、所望の機能を設定する際に操作すべき機能キーとを具え、機能キーを操作することなく電源キーを操作することによって、自動電源オン機能設定の有効が入力され、機能キーを操作した直後に電源キーを操作することによって、自動電源オン機能設定の無効が入力される。
該具体的構成によれば、電源キーの操作によって電源をオフとする際に、機能キーの操作の有無によって、自動電源オン機能設定の有効と無効を切り換えることが出来る。
【００１０】
又、具体的な構成においては、更に、電源オフ状態にて自動電源オン機能設定の無効が入力されているとき、その旨を表示する表示手段を具えている。
該具体的構成によれば、自動電源オン機能設定の無効が入力されているときは表示手段にその旨が表示されるので、例えば航空機を降りた後に自動電源オン機能の設定を無効から有効に戻す操作を忘れる虞れが低い。
【００１１】
【発明の効果】
本発明に係る携帯電話機によれば、複数の時刻にアラームが設定されている場合であっても、簡易なキー操作によって自動電源オン機能の設定を解除することが出来、アラームの設定時刻毎にその設定を解除する操作は不要である。又、簡易なキー操作によって、自動電源オン機能の設定を元の状態に戻すことが出来、アラーム設定のための操作を再度行なう必要はない。
【００１２】
【発明の実施の形態】
以下、本発明の実施の形態につき、図面に沿って具体的に説明する。
本発明に係る携帯電話機は、図１に示す如く、前面ケース(11)と背面ケース(12)からなる扁平なケーシング(１)を具え、前面ケース(11)の表面には、ディスプレイ(13)、着信報知音や受話音を発するためのスピーカ(17)、機能選択用のシーソーキー(15)や電源キー(16)を含む複数の操作キー(14)等が配備されている。又、ケーシング(１)の内部には、無線通信や諸機能を実現するための電子回路が装備された回路基板(図示省略)や、モータ(22)の出力軸に偏心荷重(21)を取り付けてなる着信報知用バイブレータ(２)等が設置されている。
【００１３】
本発明に係る携帯電話機は、予め設定した動作時刻(電源オン時刻)に電源をオンとする自動電源オン機能や、予め設定した動作時刻(アラーム発生時刻)にスピーカ(17)からアラーム音を発するアラーム機能を有しており、これらの機能を実現するために、前記回路基板には、図２に示す主制御部(３)、電源オン時刻記憶部(４)、電源オン時刻検知部(５)、及び自動電源オン有効／無効設定記憶部(６)が設けられている。
【００１４】
所定のキー操作によって自動電源オン機能を設定すると、キー操作によって入力された電源オン時刻が電源オン時刻記憶部(４)に格納される。又、所定のキー操作によって複数の時刻にアラームを設定すると、キー操作によって入力された複数のアラーム発生時刻が電源オン時刻記憶部(４)に格納される。
電源オン時刻検知部(５)は、電源オン時刻記憶部(４)に記憶されている動作時刻(電源オン時刻、アラーム発生時刻)が到来したか否かを検知し、動作時刻が到来したとき、主制御部(３)へ検知信号を供給するものである。
【００１５】
又、自動電源オン有効／無効設定記憶部(６)は、後述する所定のキー操作によって入力された自動電源オン機能設定の有効／無効を記憶するものである。
主制御部(３)は、自動電源オン有効／無効設定記憶部(６)に自動電源オン機能設定の有効が記憶されている場合に限り、電源オン時刻又はアラーム発生時刻の到来が検知された時点で、自動電源オン機能を動作させるものである。この結果、自動的に電源がオンとなり、アラームが設定されている場合はアラーム音が発せられる。
【００１６】
図３は、自動電源オン機能の設定を有効とするための操作と動作を表わしており、待ち受け状態(電源オン状態)から、ステップＳ１にて電源キーを一定時間以上に亘って押下(長押し)すると、ステップＳ２では、電源オフ中の画面がディスプレイに表示されて、電源オフ状態(自動電源オン有効)が設定される。
又、図４は、自動電源オン機能の設定を無効とするための操作と動作を表わしており、待ち受け状態(電源オン状態)から、ステップＳ１１にてファンクションキー(［Ｆ］キー)を押下した後、ステップＳ１２にて電源キーを一定時間以上に亘って押下(長押し)すると、ステップＳ１３では、自動電源オン無効設定時の電源オフ中画面がディスプレイに表示されて、電源オフ状態(自動電源オン無効)が設定される。
【００１７】
図５は、自動電源オン機能の設定を無効とする操作の過程でディスプレイに表示される画面の切り替わりを表わしており、前述の如く待ち受け状態からファンクションキーを押下すると、画面(Ｄ１)の隅部に“Ｆ”の文字が表示され、更に電源キーを長押しすることによって、自動電源オン無効設定時の電源オフ中画面(Ｄ２)が表示された後、電源がオフとなる。
この画面(Ｄ２)によって、ユーザは、自動電源オン機能が無効設定されていることを知ることが出来る。
【００１８】
図６は、電源オフ状態における主制御部(３)の動作を表わしており、ステップＳ２１の電源オフ状態から、ステップＳ２２では、自動電源オン有効／無効設定記憶部(６)を参照して、自動電源オン機能設定が有効になっているか否かを判断し、ノーの場合、即ち自動電源オン無効設定時の電源オフの場合はステップＳ２１に戻って、電源オフ状態を維持する。従って、自動電源オン時刻やアラーム発生時刻が到来したとしても、電源はオンとならず、アラーム音が発生することもない。
【００１９】
一方、ステップＳ２２にてイエスと判断された場合、即ち、自動電源オン有効設定時の電源オフの場合はステップＳ２３に移行して、自動電源オン時刻となったか否かを判断し、ここでノーと判断されたときはステップＳ２１に戻って、電源オフ状態を維持する。
その後、自動電源オン時刻(アラーム発生時刻)が到来して、ステップＳ２３にてイエスと判断されたときは、ステップＳ２４に移行して、電源をオンとする。この結果、アラーム音が発生して、所定時刻の到来が報知されることになる。
【００２０】
上述の如く、本発明に係る携帯電話機によれば、ファンクションキーを押下した後に電源キーを長押しする簡易な操作によって、自動電源オン機能を無効設定することが出来る。又、その後、電源キーを長押しする操作によって電源を一旦、オンとした後、ファンクションキーを操作することなく、電源キーを長押しする簡易な操作によって、自動電源オン機能を有効設定することが出来る。
【００２１】
尚、本発明の各部構成は上記実施の形態に限らず、特許請求の範囲に記載の技術的範囲内で種々の変形が可能である。例えば、自動電源オン機能の有効／無効の設定は、ファンクションキーと電源キーを用いた方式に限らず、その他の種々のキー操作によって実現することが出来る。
【図面の簡単な説明】
【図１】本発明に係る携帯電話機の外観を示す斜視図である。
【図２】本発明に係る携帯電話機の機能構成を表わすブロック図である。
【図３】自動電源オン機能を有効設定するための操作と動作を表わすフローチャートである。
【図４】自動電源オン機能を無効設定するための操作と動作を表わすフローチャートである。
【図５】自動電源オン機能を無効設定する過程の画面表示の切り替わりを示すフローチャートである。
【図６】自動電源オン動作のフローチャートである。
【符号の説明】
(１)  ケーシング
(13)  ディスプレイ
(14)  操作キー
(３)  主制御部
(４)  電源オン時刻記憶部
(５)  電源オン時刻検知部
(６)  自動電源オン有効／無効設定記憶部
【図１】
0003877494.tif 000002
【図２】
0003877494.tif 000003
【図３】
0003877494.tif 000004
【図４】
0003877494.tif 000005
【図５】
0003877494.tif 000006
【図６】
0003877494.tif 000007